(57)【要約】【課題】  ゴルフにおける好ましいスイングを体現することのできるゴルフ用シューズを提供すること。【解決手段】  少なくとも左右いずれか一方の靴底面に、幅方向のインサイドに突出する突出部を設けた。したがって、インパクト時に膝が内側に折れることを防止でき、身体の正面でボールを捉えることができるので、ミスショットを減らし、ナイスショットの確率を著しく高めることができる。【選択図】    図３
2006314370.tif 000002
【特許請求の範囲】
【請求項１】
少なくとも左右いずれか一方の靴底に、幅方向のインサイドに突出する突出部を設けたことを特徴とするゴルフシューズ。
【請求項２】
前記突出部を、アドレス時に打球方向に対して後側に位置する靴に設けたことを特徴とする請求項１記載のゴルフシューズ。
【請求項３】
少なくとも左右いずれか一方の靴底に、幅方向のアウトサイドに突出する突出部を設けたことを特徴とするゴルフシューズ。
【請求項４】
前記突出部を、アドレス時に打球方向に対して前側に位置する靴に設けたことを特徴とする請求項３記載のゴルフシューズ。
【請求項５】
左右いずれか一方の靴底に、幅方向のインサイドに突出する内側突出部を設ける一方、他方の靴底には、幅方向のアウトサイドに突出する外側突出部を設けたことを特徴とするゴルフシューズ。
【請求項６】
靴底に、幅方向の両サイドにそれぞれ突出させた突出部を設けたことを特徴とするゴルフシューズ。
【請求項７】
靴底の爪先側に突出部を設けたことを特徴とする請求項１〜６のいずれか１項に記載のゴルフシューズ。
【請求項８】
突出部を設けた靴底を、靴本体に着脱自在に取付けたことを特徴とする請求項１〜７のいずれか１項に記載のゴルフシューズ。
【請求項９】
足首が前方に折れることを防止する前折防止部を備えることを特徴とする請求項１〜８のいずれか１項に記載のゴルフシューズ。
【発明の詳細な説明】
【技術分野】
【０００１】
本発明は、ゴルフシューズに関するものである。
【背景技術】
【０００２】
従来、ゴルフシューズは、その履き地面に対するグリップ力の改良に腐心したものが多く、ゴルフスイングと直接的に関連付けたものは極めて少ない。
そのような中で、スイング時の下半身の安定をはかるために、表底の上面が、その内側端縁から外側端縁まで平面状ではなく、適当な角度で上り傾斜状に斜断され、この表底の上面に甲部を載置固定し、左右のゴルフシューズの甲部が互いに内方向に傾斜するように形成されたものが提案されている（例えば、特許文献１を参照。）。
また、下半身の安定を図り、スイングの矯正が可能であって、なおかつ使用時のみ簡易に取り付けることができるようにして取り扱いを容易にしたゴルフシューズ用補助具も提案されている（例えば、特許文献２を参照。）。
【０００３】
他方、理想的なゴルフスイングを求めて多くのゴルファが練習を重ねている中で、近年では、打球（インパクト）時に両足が所謂「がに股」状態となる「がに股スイング」が注目されている。
かかるスイングではボールを身体の正面でしっかりと捕らえることができ、ミスショットが少なくなってスコアアップにもつながるとされている。
【０００４】
【特許文献１】特開平９−３１３２０４号公報
【特許文献２】特開２００３−３２５２０２号公報
【発明の開示】
【発明が解決しようとする課題】
【０００５】
しかしながら、上記したゴルフシューズや補助具は、古いゴルフ理論に基づくものであり、両膝が内側方へ曲がる状態で固定されやすく、所望する「がに股スイング」には程遠くなってしまう。
本発明は、上記課題を解決することのできるゴルフシューズを提供することを目的としている。
【課題を解決するための手段】
【０００６】
請求項１記載の本発明では、少なくとも左右いずれか一方の靴底に、幅方向のインサイドに突出する突出部を設けたゴルフシューズとした。
【０００７】
請求項２記載の本発明では、請求項１記載のゴルフシューズにおいて、前記突出部を、アドレス時に打球方向に対して後側に位置する靴に設けたことを特徴とする。
【０００８】
請求項３記載の本発明では、少なくとも左右いずれか一方の靴底に、幅方向のアウトサイドに突出する突出部を設けたゴルフシューズとした。
【０００９】
請求項４記載の本発明では、請求項３記載のゴルフシューズにおいて、前記突出部を、アドレス時に打球方向に対して前側に位置する靴に設けたことを特徴とする。
【００１０】
請求項５記載の本発明では、左右いずれか一方の靴底に、幅方向のインサイドに突出する内側突出部を設ける一方、他方の靴底には、幅方向のアウトサイドに突出する外側突出部を設けたゴルフシューズとした。
【００１１】
請求項６記載の本発明では、靴底に、幅方向の両サイドにそれぞれ突出させた突出部を設けたゴルフシューズとした。
【００１２】
請求項７記載の本発明では、請求項１〜６のいずれか１項に記載のゴルフシューズにおいて、靴底の爪先側に突出部を設けたことを特徴とする。
【００１３】
請求項８記載の本発明では、請求項１〜７のいずれか１項に記載のゴルフシューズにおいて、突出部を設けた靴底を、靴本体に着脱自在に取付けたことを特徴とする。
【００１４】
請求項９記載の本発明では、請求項１〜８のいずれか１項に記載のゴルフシューズにおいて、足首が前方に折れることを防止する前折防止部を備えることを特徴とする。
【発明の効果】
【００１５】
本発明によれば、インパクト時に膝が内側に折れることを防止でき、身体の正面でボールを捉えることができるので、ミスショットを減らし、ナイスショットの確率を著しく高めることができる。
【発明を実施するための最良の形態】
【００１６】
本発明の実施の形態に係るゴルフシューズは、少なくとも左右いずれか一方の靴底に、幅方向のインサイドに突出する突出部を設けたものである。なお、ここで幅方向のインサイドというのは足の親指側の側部を指し、アウトサイドというのは小指側の側部を指す。また、靴底には、凸状のゴルフスパイクが着脱自在に、あるいは一体的に形成されていることが望ましい。
【００１７】
前記突出部は、アドレス時において打球方向に対して後側に位置する靴に設けるとよい。すなわち、右打ちの場合を例にとると、右足に履いた靴底の親指側をなす内側部分（インサイド）に突出部が設けられているものであり、ダウンスイングからインパクトにかけて、靴底の幅方向のインサイドに設けた突出部によって、右の膝が内側（左脚側）へ折れてしまいがちになることを防止することができ、近年、正しいゴルフスイングとして注目されているスイングである、所謂「がに股スイング」を容易に体現でき、打球の飛距離が増すとともに、方向性が正確となって、スコアアップを容易に図ることが可能となる。
【００１８】
また、この場合、前記突出部を、アドレス時に打球方向に対して前側に位置する靴の幅方向のアウトサイドにも設けることができる、すなわち、右打ちであれば、前述したように、右足に履いた靴底の親指側をなす内側部分（インサイド）に加え、左足に履く靴の幅方向の小指側をなす外側部分（アウトサイド）についても突出部を設けるのである。
すなわち、この左側の靴底のアウトサイドに突出する突出部が前記右側の靴に設けた突出部と協働して、両膝が打球方向に流れることを防止し、より確実に「がに股スイング」を体現することが可能となる。
【００１９】
この場合のゴルフシューズは、少なくとも左右いずれか一方の靴底に、幅方向のインサイドに突出する突出部を設ける一方、他方の靴底には、幅方向のアウトサイドに突出する突出部を設けた構成となる。
【００２０】
なお、左打ちの場合は、上述してきた右側及び左側の各靴に設ける突出部の位置は逆になることは当然であるが、上述した右打ち用のシューズを左打ちのプレイヤが使用してもよい。勿論、その反対に左打ち用のシューズを右打ちのプレイヤが使用してもよい。
この場合、バックスイングにおいて、身体が打球方向に対し反対側に流れる、所謂スウェーを効果的に防止することができる。
【００２１】
このように、本実施形態によれば、左右いずれか一方の靴底面に、幅方向のインサイドに突出する内側突出部を設ける一方、他方の靴底面には、幅方向のアウトサイドに突出する外側突出部を設けたゴルフシューズとすることによって、右打ちするか左打ちするかによって、スコアアップに繋がる「がに股スイング」を体現したり、スウェーを防止したりする顕著な効果が得られることになる。
勿論ながら、右打ちのものであれば右足用の靴のインサイドのみに、左打ちのものであれば左足用の靴のインサイドのみに突出部を設けたシューズであっても構わない。
【００２２】
また、左右いずれの靴においても、その底面に、幅方向の両サイドにそれぞれ突出させた突出部を設けることもできる。
この場合、右打ち、左打ちにかかわらず、バックスイングではスウェーを防止し、ダウンスイングからインパクトにおいては「がに股スイング」を体現でき、理想的なゴルフスイングをゴルフシューズにより実現することができる。
【００２３】
ところで、上述してきた突出部を、例えばピン状に形成し、しかも、靴本体内に出し入れ自在に構成することも考えられる。すなわち、上述してきたゴルフシューズにおいて、前記突出部を靴本体内に出し入れ自在に構成したものである。この場合、所望する側の靴の突出部を、必要に応じて任意に引き出すことができる。
【００２４】
また、上述してきた突出部に加え、さらに、靴底の爪先側に突出部を設けることもできる。かかる構成であれば、膝が内側に折れることをより確実に防止することができる。
【００２５】
ところで、上述してきた突出部を備えた靴底を、靴本体に着脱自在に取付けたゴルフシューズとすることもできる。
すなわち、突出部を設けた靴底面には、凸状のゴルフスパイクが形成されており、ゴルフをプレイするときのような必要時にこの靴底を装着して履けばよい。靴底を装着しない場合は、靴本体のみでの歩行も可能となっており、ゴルフプレイ（練習を含む）以外の通常時においては、靴本体のみで通常シューズとして使用可能としている。したがって、本ゴルフシューズであれば、例えばゴルフコースに向かうときや帰りのときには靴本体のみを使用し、ゴルフ場で実際にプレイするときに靴底を靴本体に装着すればよい。
【００２６】
さらに、上述してきた各ゴルフシューズにおいて、足首が前方に折れることを防止する前折防止部を設けることもできる。
【００２７】
すなわち、ゴルフスイングの中で、膝が流れるように折れることの他、前方に折れることもミスショットの原因となることが知られている。
そこで、例えば靴本体における甲部と足首部との間に硬質のプレートなどを配設して、足首が前後に折れることを強制的に防止するのである。このようにして、膝が内側方向のみならず、前方にも折れることのない良いスイングが実現でき、ショットの精度を高めることができる。
【００２８】
前記前折防止部は、左右の靴本体両方に設けてもよいが、右打ちであれば右の靴に、左打ちであれば左の靴に設けることが好ましい。すなわち、打球方向に対してアドレス時に後方に位置する側の靴に設けるとよい。
【００２９】
また、より好ましくは、前記プレートの足首部との間隔を調整可能にする調整手段を設けるものとする。かかる調整手段により、脚が前方へ折れることを防止する規制程度や使用者の好みに適用することが容易となる。
【００３０】
以下、本発明の実施形態を、図面を参照しながらより具体的に説明する。なお、以下に説明する各実施形態においては、本ゴルフシューズを利用するプレイヤは右打ちの場合としている。また、各実施形態において用いる符号は、同一構成要素については同一符号で示している。
【００３１】
図１は第１実施形態に係るゴルフシューズの説明図、図２は同ゴルフシューズの要部をなす靴底の説明図、図３は同ゴルフシューズの使用状態を示す説明図である。
【００３２】
（第１の実施形態）
第１の実施形態に係るゴルフシューズ１は、図１に示すように、それぞれ靴本体１５と靴底１０からなる左右一対の靴１Ｒ，１Ｌのうち、右足用の靴１Ｒの内側に内側突出部２を有している。すなわち、靴１Ｒの幅方向における親指側をなすインサイドに平面視で略山形状としたプレートを形成している。
本実施形態に係る内側突出部２は、図２に示すように、靴底１０と一体的に形成されたものとしており、例えば、前記突出部２に相当する部分を形成した硬質な金属プレート（図示せず図）を、皮革により被覆して靴底１０を形成することができる。なお、合成樹脂によって靴底１０を形成し、この靴底１０と内側突出部２とを一体成形してもよい。
【００３３】
かかる内側突出部２を有する靴１Ｒは、右打ちのゴルフスイングではアドレス時において打球方向に対して後側に位置することになるが、この靴１Ｒを履いてダウンスイングすると、靴１Ｒのアウトサイドが浮き上がり、インサイドが沈み込むような右膝の内側へ折れていくようなゴルフスイングにおいて好ましくない動きが規制されることになるので、図３に示すように、右膝が必要以上に左膝側に沈み込みながら寄ることがなく、両足がしっかりと地面をグリップする所謂「がに股」状態でクラブヘッド３がボールを捉えることになる。
【００３４】
したがって、スイングの力をボールに伝えて飛距離を向上させるとともに、身体の正面で確実にボールを捉えることによって方向性も正確になる。このように、本ゴルフシューズ１を使用することで、無意識のうちにも好ましいゴルフスイングを行えるようになってスコアアップも望めることになる。
【００３５】
また、本実施形態では、図２に示すように、前記内側突出部２を、使用者の足の土踏まずに相当する部分に形成しており、その突出量としては、１０〜１００ｍｍの範囲としている。１０ｍｍ以下では、ダウンスイング時において、上述したように靴１Ｒのアウトサイドが浮き上がり、インサイドが沈み込むような右膝の内側へ折れていく動きを意図するように規制できず、１００ｍｍ以上では、通常の歩行などに支障を来すおそれがあるからである。より好ましくは３０〜６０ｍｍの範囲とするとよい。
このように、内側突出部２の形状を平面視で略山形形状とし、かつ足の土踏まずに相当する部分に形成しているので、ゴルフスイングの中途で生じる右足を爪先立ちしていく動作を邪魔することもない。なお、本実施形態では、このプレート部分にはゴルフスパイクを設けてはいないが、適宜設けてあっても構わない。
【００３６】
このように、本実施形態に係るゴルフシューズ１は、これを履いてゴルフを行うだけで、理想的なゴルフスイングを体現する有用な補助となり、多くのゴルファが長い期間の練習を経て習得するしかなかった理想的なゴルフスイングを簡単に体現することができる。しかも、本ゴルフシューズ１は歩行にも支障を来すことがないので、練習のみならず実際のラウンド時にも使用することができる。
【００３７】
なお、上述してきた第１の実施形態では、靴底１０と内側突出部２とを一体成形したものとして説明したが、両者を別体としても構わない。
【００３８】
（第２の実施形態）
図４は本発明の第２の実施形態に係るゴルフシューズの説明図である。
本実施形態では、内側突出部２を設けた右足用の靴１Ｒに対して、左足用の靴１Ｌには、幅方向のアウトサイドに突出する外側突出部３を設けている。すなわち、この外側突出部３を、アドレス時に打球方向に対して前側に位置する靴１Ｌに設けている。なお、かかる外側突出部３は、前記内側突出部２と同様に形成することができる。
【００３９】
この左足用の靴１Ｌに設けた外側突出部３は、前記右足用の靴１Ｒに設けた内側突出部２と協働して、両膝が打球方向に流れることをより確実に防止し、前述した「がに股スイング」を体現することがますます容易となる。
【００４０】
ところで、第１の実施形態及び第２の実施形態で説明した右打ち用のゴルフシューズ１を、左打ちのプレイヤが使用してもよい。その場合は、バックスイングにおいて、身体が打球方向に対し反対側に流れる、所謂スウェーを防止することができるという新たな効果を奏することができる。
【００４１】
（第３の実施形態）
図５は本発明の第３の実施形態に係るゴルフシューズの説明図、図６は同ゴルフシューズの使用状態を示す説明図である。
本実施形態では、左右の各靴底１０に、幅方向の両サイドにそれぞれ突出させた突出部を設けている。すなわち、靴底１０の両側部に内側突出部２と外側突出部３とを設けたものとしている。
【００４２】
かかるゴルフシューズ１であれば、右打ち、左打ち（図６参照）にかかわらず、バックスイングではスウェーを防止し、ダウンスイングからインパクトにおいては「がに股スイング」を体現でき、理想的なゴルフスイングをゴルフシューズにより実現することができる。そして、内側突出部２と外側突出部３の各突出長さも前述した範囲内に設定することにより、歩行にも差し支えないものとなる。
【００４３】
なお、第１〜第３の実施形態においては、突出部（内側突出部２、外側突出部３）の形成箇所を足の土踏まずに相当する箇所の近傍とし、形状を山形として説明したが、形成箇所及び形状はこれらに限定されるものではない。
例えば、爪先側から踵側まで全体に亘り略同幅の略矩形形状としてもよい。あるいは爪先側の前半部のみに突出部を形成してもよい。
【００４４】
また、図７及び図８に示すように、靴底１０をインサイドに所定幅だけ張り出して内側突出部２を形成するとともに、内側吐出部２については、靴本体１５との付け根部分から先端に向けて漸次薄くした構成とすることができる。
かかる構成とすることにより、内側突出部２を形成した靴底１０と靴本体１５との一体感が増し、所望する目的を達成しつつ見栄えを向上させることが可能である。なお、当然ながら、かかる構成は外側突出部３についても適用可能である。
【００４５】
（第４の実施形態）
図９は本発明の第４の実施形態に係るゴルフシューズの説明図である。
この第４の実施形態では、突出部として、前述してきた平板状の突出部に代えて、杆状に形成し、かつ靴底１０内に出し入れ自在とした杆状突出部２０としている。ここでは、前記杆状突出部２０を、前後に所定間隔をあけて２本の突出体２１，２１から構成し、これらを靴底１０のインサイドから任意に出没自在としている。
【００４６】
そのために、靴底１０に突出体収納凹部１１を形成し、この突出体収納凹部１１内に前記各突出体２１を収納自在としている。
また、本実施形態では、前記突出体２１の先端を、若干ながら下方へ屈曲させて下方屈曲部２２を形成しており、この下方屈曲部２２の下端と靴底１０の底面とが面一状態になるようにして、靴１Ｒのアウトサイドが浮き上がり、インサイドが沈み込む動作を効果的に防止するとともに、下方屈曲部２２が突出体２１を引き出すときの摘みとしても機能するようにしている。
なお、この例では杆状突出部２０を右足用の靴１Ｒのインサイドに設けたものとしているが、左足用の靴１Ｌに設けてもよいことは当然である。なお、スウェーを防止するためであれば、右足用であれ、左足用であれアウトサイドに設ければよい。また、この場合も杆状突出部２０は両方の靴１Ｒ，１Ｌのインサイド、アウトサイドそれぞれに設けてもよい。
【００４７】
（第５の実施形態）
図１０は本発明の第５の実施形態に係るゴルフシューズの平面図、図１１は同斜視図である。
この実施形態において、特徴となる構成は、靴底１０の爪先側に突出した爪先側部５０を設けたことにある。
本実施形態では、靴１Ｒの幅方向のインサイドに内側突出部２を形成するとともに、この内側突出部２と一体的に連続する爪先側突出部５０を形成している。この爪先側突出部５０の突出量については、１０〜５０ｍｍの範囲とするとよい。１０ｍｍよりも小さければ脚の折れを防止する効果が小さく、５０ｍｍを超えると、通常の歩行やゴルフスイングに支障を来たすおそれがあるからである。
なお、爪先側突出部５０と内側突出部２とは、必ずしも連続させる必要はないが、ゴルフシューズとしての外観的な見栄えを損なわない点では、図示するように、爪先側突出部５０と内側突出部２とが一体的に形成されたスイング補助用突出部５を備える構成とするのが望ましい。
かかるスイング補助用突出部５を備えるゴルフシューズとするためには、例えば、靴本体１５が２５ｃｍのサイズであれば、本来２８〜３０ｃｍ程度の靴本体に相当する靴底１０を用いれば良い。すなわち、図１０に示すように、かかる靴底１０の右外側縁及び踵外側面に沿うように靴本体１５を載置した構成とすればよい。
【００４８】
本実施形態の変形例として、図１２〜図１４に示す構成とすることができる。
この変形例は、図１２に示すように、靴底１０及び靴本体１５を、使用者の足のサイズよりもはるかに大きな構成（例えば、使用者の足のサイズが２５ｃｍであれば、２８〜３０ｃｍ）としたものであり、例えば、図１３に示すように、靴本体１５のインサイドを上下方向に押し潰した絞り部１６を形成して、靴本体１５の内部で足が踊ることのないようにするとともに、この絞り部１６の下面にまで張り出した靴底１０によって内側突出部２を形成することができる。なお、爪先側についても足が前方へずれないように靴本体１５を上下から押し潰したような形状とするか、あるいは仕切り部分を形成しておくものとする。
かかる構成とすれば、スイング補助用突出部５である爪先側突出部５０及び内側突出部２と靴本体１５とが一体的となり、所望する目的を達成することができるとともに、外観的にも見栄えが著しく向上する。
【００４９】
また、図１４に示すように、靴本体１５の内部に、使用者の足に応じた寸法を確保するための仕切壁１７を形成し、足に対して仕切壁１７よりも外側部分を爪先側突出部５０及び内側突出部２（スイング補助用突出部５）とすることもできる。
この場合も、内側突出部２と靴本体１５とが一体的となり、所望する目的を達成することができるとともに、外観的にも見栄えが著しく向上する。しかも、前記仕切壁１７と靴本体１５の外側表面との間に形成される空間１８をティやボールなどの小物入れとして利用することも可能となる。その場合、靴本体１５の表面には開閉自在な蓋部（図示せず）を形成しておくことは当然である。
【００５０】
（第６の実施形態）
図１５は本発明の第６の実施形態に係るゴルフシューズの説明図、図１６は同ゴルフシューズの使用状態を示す説明図である。
この実施形態において特徴となる構成は、プレイヤの足首が前方に折れること、ひいては脚が前側に必要以上に折れることを防止する前折防止部４を靴本体１５に設けた点にある。
【００５１】
ゴルフスイングの中で、膝が流れるように折れることの他、前方に折れることもミスショットの原因となることが知られていることから、本実施形態はそれを防止したゴルフ用シューズ１としている。
【００５２】
具体的には、図示するようにゴルフシューズ１をブーツタイプとし、靴本体１５の甲部１２と足首部１３との間に、略Ｌ字状に屈曲形成した硬質のプレート４０を配設して前折防止部４を構成している。なお、本実施形態では、左足用の靴１Ｌには外側突出部３を形成したものとしている。
かかる構成とすることにより、図１６に示すように、足首が前後に折れることを強制的に防止し、膝が内側方向のみならず、前方にも折れることのない良いスイングが実現でき、ショットの精度を高めることができる。なお、ここでは、右足用の靴１Ｒ及び左足用の靴１Ｌのいずれにも前記前折防止部４を形成しているが、右打ちであれば少なくとも右足用の靴１Ｒに、左打ちであれば左足用の靴１Ｌに設けておくだけでもよい。すなわち、打球方向に対してアドレス時に後方に位置する側の靴に設けておけば、上述した効果を得ることができる。
また、本実施系形態では、右足用の靴１Ｒには内側突出部２を、左足用の靴１Ｌには外側突出部３を形成したものとしたが、両方の靴１Ｒ，１Ｌのそれぞれに内側突出部２と外側突出部３の両者を設けることもできる。
【００５３】
また、本実施形態の変形例として、図１７に示す構成とすることもできる。
これは、前折防止部４として、足のアキレス腱に沿うように略ストレートに形成した硬質プレート４１を、靴本体１５の踵部１９から足首部１３の後側面部に配設した点、及び、足首の前折れ許容量を調整可能とした前折許容量調整部６を設けた点に特徴がある。
この前折許容量調整部６は、例えば、ブーツ状に形成した靴本体１５の側面にキャザー部６０を形成し、このギャザー部６０で靴本体１５と脚との間隙を調整するとともに、面ファスナー６１によって固定可能な構成とすることができる。なお、この前折許容量調整部６を図１５に示した実施形態に適用可能であることは当然である。
また、この変形例では前述のスイング補助用突出部５を設けており、右足用の靴１Ｒに設けた内側突出部２、左足用の靴１Ｌに設けた外側突出部３の構成は、前述の第５の実施形態に準じ、爪先側突出部５０がこれらとともに一体形成されたものとしている。
かかる構成においては、足首の前後への折れ量を、使用者に適した量に調整する事が可能であり、必要以上に脚が前方へ折れることを強制的に防止することができるので、プレイヤに応じた好ましい「がに股スイング」が実現でき、やはりショットの精度を高めることができる。
【００５４】
（第７の実施形態）
図１８は本発明の第７の実施形態に係るゴルフシューズの説明図である。
この実施形態において特徴となる構成は、突出部（爪先側突出部５０、内側突出部２、外側突出部３）を設けた靴底１０を、靴本体１５に着脱自在に取付け可能とした点にある。すなわち、爪先側突出部５０と内側突出部２とが一体形成されたスイング補助用突出部５を靴底１０に形成し、この靴底１０の上面に靴本体１５の底面部と嵌合する嵌合部７を形成し、靴本体１５に装着可能としている。
靴本体１５の底面は通常の靴底と同様にしておき、着脱自在とした靴底１０についてはその底面にゴルフスパイクを設けておけば、ゴルフをプレイするときのような必要時にこの靴底１０を装着して履けばよい。
したがって、本ゴルフシューズ１では、ゴルフコースに向かうときや帰りのときには靴本体１５のみを使用し、ゴルフ場で実際にプレイするときに靴底１０を靴本体１５に装着すればよい。
【００５５】
なお、靴底１０を靴本体に着脱自在とする構成としては、スイング補助用突出部５を形成した靴底１０をスリッパ状、あるいはより好ましい形態として踵部分を保持できるサンダル状に形成することもでき、使用者は靴本体１０を履いた足で靴底１０を履くというような使用形態も考えられる。
【００５６】
上述してきた実施形態より、以下のゴルフ用シューズが実現できる。
すなわち、少なくとも左右いずれか一方の靴底１０に、幅方向のインサイドに突出する突出部（例えば内側突出部２）を設けたゴルフシューズ。
【００５７】
前記ゴルフシューズにおいて、前記突出部（例えば内側突出部２）を、アドレス時に打球方向に対して後側に位置する靴（例えば右足用の靴１Ｒ又は左足用の靴１Ｌ）に設けたゴルフシューズ。
【００５８】
少なくとも左右いずれか一方の靴底１０に、幅方向のアウトサイドに突出する突出部（例えば、外側突出部３）を設けたゴルフシューズ。
【００５９】
前記ゴルフシューズにおいて、前記突出部（例えば、外側突出部３）を、アドレス時に打球方向に対して前側に位置する靴（例えば右足用の靴１Ｒ又は左足用の靴１Ｌ）に設けたゴルフシューズ。
【００６０】
左右いずれか一方の靴底１０に、幅方向のインサイドに突出する内側突出部２を設ける一方、他方の靴底１０には、幅方向のアウトサイドに突出する外側突出部３を設けたゴルフシューズ。
【００６１】
靴底１０に、幅方向の両サイドにそれぞれ突出させた突出部（内側突出部２及び外側突出部３）を設けたゴルフシューズ。
【００６２】
前記ゴルフシューズにおいて、靴底１０の爪先側に突出部（爪先側突出部５０）を設けたゴルフシューズ。
【００６３】
上述の各ゴルフシューズにおいて、突出部（例えば、内側突出部２、外側突出部３、爪先側突出部５０、あるいは、内側突出部２若しくは外側突出部３と爪先側突出部５０とからなるスイング補助用突出部５）を設けた靴底１０を、靴本体１５に着脱自在に取付けたゴルフシューズ。
【００６４】
上述の各ゴルフシューズにおいて、足首が前方に折れることを防止する前折防止部４を備えるゴルフシューズ。
【００６５】
なお、本発明のゴルフ用シューズについて、各実施形態を通して説明したが、本発明は、特許請求の範囲から逸脱しない限り、上述してきた各実施の形態のものに限定されることなく適用でき、適宜変形することも可能である。
【図面の簡単な説明】
【００６６】
【図１】本発明の第１の実施形態に係るゴルフシューズの説明図である。
【図２】同ゴルフシューズの要部をなす靴底の説明図である。
【図３】同ゴルフシューズの使用状態を示す説明図である。
【図４】第２の実施形態に係るゴルフシューズの説明図である。
【図５】第３の実施形態に係るゴルフシューズの説明図である。
【図６】同ゴルフシューズの使用状態を示す説明図である。
【図７】内側突出部２の一形態を示す正面図である。
【図８】同斜視図である。
【図９】第４の実施形態に係るゴルフシューズの説明図である。
【図１０】第５の実施形態に係るゴルフシューズの平面図である。
【図１１】同斜視図である。
【図１２】同変形例を示す平面図である。
【図１３】同変形例を示す断面視による説明図である。
【図１４】同変形例を示す断面視による説明図である。
【図１５】第６の実施形態に係るゴルフシューズの説明図である。
【図１６】同ゴルフシューズの使用状態を示す説明図である。
【図１７】同変形例を示す説明図である。
【図１８】第７の実施形態に係るゴルフシューズの説明図である。
【符号の説明】
【００６７】
１  ゴルフ用シューズ
１Ｒ  右足用の靴
１Ｌ  左足用の靴
２  内側突出部
３  外側突出部
４  前折防止部
１０  靴底
２０  杆状突出部
２１  突出体
４０  プレート
【図１】
2006314370.tif 000003
【図２】
2006314370.tif 000004
【図３】
2006314370.tif 000005
【図４】
2006314370.tif 000006
【図５】
2006314370.tif 000007
【図６】
2006314370.tif 000008
【図７】
2006314370.tif 000009
【図８】
2006314370.tif 000010
【図９】
2006314370.tif 000011
【図１０】
2006314370.tif 000012
【図１１】
2006314370.tif 000013
【図１２】
2006314370.tif 000014
【図１３】
2006314370.tif 000015
【図１４】
2006314370.tif 000016
【図１５】
2006314370.tif 000017
【図１６】
2006314370.tif 000018
【図１７】
2006314370.tif 000019
【図１８】
2006314370.tif 000020